(57)【要約】【課題】  駒部材を取り付けることなく、底パネルをドレンパンに密着させて配置することができる天井吊型空気調和装置を提供する。【解決手段】  底パネル１４におけるドレンパン３１の前面を覆う部分１４ａに曲げ部１４ｂを設けると共に、ドレンパン３１にこの曲げ部１４ｂが入る凹部３１ａを設け、この凹部３１ａに、底パネル１４の曲げ部１４ｂを挟持するリブ３１ｃを設けるようにした。【選択図】      図４
2005164212.tif 000002
【特許請求の範囲】
【請求項１】
空気調和機本体の吹出口の下縁部にドレンパンが延在し、このドレンパンの下面並びに吹出口に延在するドレンパンの前面を底パネルで覆う天井吊型空気調和装置において、
前記底パネルにおける前記ドレンパンの前面を覆う部分に前記ドレンパン側に曲げられた曲げ部を設けると共に、前記ドレンパンに前記曲げ部が入る凹部を設け、この凹部に、前記曲げ部を挟持するリブを部分的に設けたことを特徴とする天井吊型空気調和装置。
【請求項２】
前記リブは、前記底パネルを前記ドレンパン側に押さえる押さえ部に相当する位置に設けられることを特徴とする請求項１に記載の天井吊型空気調和装置。
【請求項３】
前記押さえ部は、前記底パネルをドレンパンにビス止めする部分であることを特徴とする請求項２に記載の天井吊型空気調和装置。
【請求項４】
前記凹部に設けられるリブ全体の長さは、前記底パネルの幅の１０％以上、かつ、５０％以下の長さであることを特徴とする請求項１乃至３のいずれかに記載の天井吊型空気調和装置。
【請求項５】
前記凹部に設けられるリブ全体の長さは、前記底パネルの幅の約２０％の長さであることを特徴とする請求項４に記載の天井吊型空気調和装置。
【請求項６】
前記リブは、前記曲げ部を挟持する部分が櫛形に形成されることを特徴とする求項１乃至５のいずれかに記載の天井吊型空気調和装置。
【請求項７】
前記ドレンパンは、発泡スチロール製であることを特徴とする請求項１乃至６のいずれかに記載の天井吊型空気調和装置。
【発明の詳細な説明】
【技術分野】
【０００１】  本発明は、空気調和機本体の吹出口の下縁部にドレンパンが延在し、このドレンパンの下面並びに吹出口に延在するドレンパンの前面を底パネルで覆う天井吊型空気調和装置に関する。
【背景技術】
【０００２】  従来より、懸吊ボルトを用いて室内の天井から吊り下げられて設置される構成の天井吊型空気調和装置が知られている（例えば特許文献１）。この種の天井吊型空気調和装置にあっては、熱交換器の下方に断熱体を兼ねるドレンパンが設置され、このドレンパンの下面に底パネルが設けられている。この底パネルは、金属板等の薄い板を用いて、空気調和装置本体の前面側（吸込口側）に向かってドレンパンを覆う形状に形成され、前面側を覆う部分の端部に曲げ部が形成され、この曲げ部がドレンパンに形成された溝に係止された状態でビス止めされる。【０００３】  ところで、このドレンパンに形成される溝は、底パネルの板厚に比して大きい幅に形成される。これは、ドレンパンが発泡スチロール等の断熱材で形成されているために細い溝を形成するのが困難だからである。このため、従来は、底パネルの曲げ部に駒部材を取り付けて（例えばパッキンを貼り付けて）曲げ部の厚さを厚くし、これによって、曲げ部がドレンパンの溝にほぼ隙間無く嵌り、底パネルがドレンパンに密着するようになっている。
【特許文献１】        特開平９−２７５２５１号公報
【発明の開示】
【発明が解決しようとする課題】
【０００４】  しかしながら、底パネルに駒部材を取り付けると、駒部材を取り付ける作業が必要で、また、部品点数も増えてしまい好ましくなかった。
本発明は、上述した事情に鑑みてなされたものであり、駒部材を取り付けることなく、底パネルをドレンパンに密着させて配置することができる天井吊型空気調和装置を提供することを目的とする。
【課題を解決するための手段】
【０００５】  上述課題を解決するため、本発明は、空気調和機本体の吹出口の下縁部にドレンパンが延在し、このドレンパンの下面並びに吹出口に延在するドレンパンの前面を底パネルで覆う天井吊型空気調和装置において、前記底パネルにおける前記ドレンパンの前面を覆う部分に前記ドレンパン側に曲げられた曲げ部を設けると共に、前記ドレンパンに前記曲げ部が入る凹部を設け、この凹部に、前記曲げ部を挟持するリブを部分的に設けたことを特徴とする。【０００６】  上記構成において、前記リブが前記底パネルを前記ドレンパン側に押さえる押さえ部に相当する位置に設けられることが好ましい。また、前記押さえ部は、前記底パネルをドレンパンにビス止めする部分であることが好ましい。【０００７】  また、前記凹部に設けられるリブ全体の長さは、前記底パネルの幅の１０％以上、かつ、５０％以下であることが好ましく、より好ましくは、前記底パネルの幅の約２０％の長さがよい。また、前記リブは、前記曲げ部を挟持する部分が櫛形に形成されることが好ましい。前記ドレンパンは、発泡スチロール製であることが好ましい。
【発明の効果】
【０００８】  本発明は、底パネルにおけるドレンパンの前面を覆う部分にドレンパン側に曲げられた曲げ部を設けると共に、ドレンパンに曲げ部が入る凹部を設け、この凹部に、曲げ部を挟持するリブを部分的に設けることにより、底パネルをドレンパンに密着させて配置することができる
【発明を実施するための最良の形態】
【０００９】  以下図面を参照して本発明の実施の形態について説明する。図１は、本実施形態にかかる天井吊型空気調和装置１の外観構成を示す斜視図である。また、図２は、空気調和機本体１ａの内部構造を示す断面図であり、図３は、同じく内部構造を示す平面図である。【００１０】  図１及び図２に示すように、天井吊型空気調和装置１は、空気調和機本体１ａの前面に吹出口４１が設けられ、この吹出口４１が設けられた前面から順に、熱交換器１５、送風機１３が配置され、送風機１３の下方には吸込グリル３７が設けられる。この空気調和機本体１ａの吹出口４１の下縁部にはドレンパン３１が延在し、このドレンパンの下面並びに前面が底パネル１４で覆われ、空気調和機本体１ａの両側はサイドカバー４５で覆われている。空気調和機本体１ａには、この他にも、電装箱１１、冷媒配管２９等の各種機器類や、当該空気調和機本体１ａをコントロールするためのリモートコントローラ（図示せず）からの指示信号を受信する受信ユニット（図示せず）が設けられている。この空気調和機本体１ａは、図２に示すように、天井から吊り下げられた吊りボルト３に引っかけられて室内天井板５の下方に設置されて室内空調を行う。【００１１】  図３に示すように、送風機１３は、四台の送風機ユニット２１〜２４からなり、これらは一台のモータ２５で駆動される回転軸２７上に固定・配置されている。熱交換器１５は、図２に示すようにフィン・チューブ型の熱交換器であり、空気調和機本体１ａ内に斜めに設置される。この熱交換器１５には冷媒配管２９が接続され、この冷媒配管２９は空気調和機本体１ａの外に導出され、室外機（図示せず）の圧縮機、減圧装置、室外熱交換器等に接続される。【００１２】  吸込グリル３７には、空気清浄用のフィルタ３９が取り付けられる。そして、送風機１３が駆動されると吸込グリル３７及びフィルタ３９を通じて室内の空気が空気調和機本体１ａ内に吸い込まれ、この空気は熱交換器１５で熱交換された後に、吹出口４１を通じて室内に吹き出される。中仕切板４３は、空気調和機本体１ａの略中央を横断的に仕切る仕切板である。【００１３】  図４は、空気調和機本体１ａの吹出口４１の周辺構造を示す断面図であり、図５は、ドレンパン３１の斜視図である。底パネル１４は、金属板又はプラスチック等の樹脂板等の薄い板で形成され、ドレンパン３１の下面と前面（吹出口４１側の面）とを覆う形状に形成されている。【００１４】  詳述すると、底パネル１４には、ドレンパン３１の前面を覆う部分１４ａの端部の一部又は全体が内側（ドレンパン３１側）に曲げられて曲げ部１４ｂが形成され、この曲げ部１４ｂが、ドレンパン３１の幅方向に渡って形成された凹部３１ａ（図４及び図５参照）に入るようになっている。また、この底パネル１４には、ドレンパン３１側に突出するボス（図示せず）が形成され、このボスがドレンパン３１に形成されたボス穴３１ｂ（図５参照）に挿入され、このボスにビスを留めることによって底パネル１４がドレンパン３１に固定されるようになっている。【００１５】  ところで、この天井吊型空気調和装置１においては、ドレンパン３１を発泡スチロール等の断熱材で形成することによってドレンパン３１が空���調和機本体１ａ内を断熱する断熱体を兼ねるようにしている。このため、金型の耐久性等の理由から、ドレンパン３１の凹部３１ａの幅Ｗをある程度広くせざるを得ず、底パネル１４の板厚（＝曲げ部１４ｂの厚さ、例えば、０．６ｍｍ）より大きくなってしまう。しかしながら、底パネル１４の曲げ部１４ｂがドレンパン３１の凹部３１ａ内で自由に動くとすると、底パネル１４を上記のようにビスで固定しても、底パネル１４の上記部分１４ａとドレンパン３１との間に隙間ができ易く、外観上好ましくない。【００１６】  そこで、本実施形態では、図５に示すように、ドレンパン３１の凹部３１ａに、底パネル１４の曲げ部１４ｂを挟持するリブ（挟持部）３１ｃを部分的に設けている。すなわち、リブ３１ｃは、凹部３１ａの一面３１ｄとの間の隙間が底パネル１４の板厚と同等に形成されることにより、この隙間により底パネル１４の曲げ部１４ｂを挟持するようになっている。【００１７】  詳述すると、このリブ３１ｃは、ドレンパン３１の上方から見て、ドレンパン３１のボス穴３１ｂに相当する位置に設けられ、その長さＬ１が底パネル１４の幅Ｌ０（図１参照）の約２０％の長さに形成される。このように、リブ３１ｃをドレンパン３１のボス穴３１ｂに相当する位置に設ける、つまり、ビスにより底パネル１４がドレンパン３１側に押さえられる押さえ部に相当する位置に設けることにより、底パネル１４をドレンパン３１の下面及び前面に効率よく密着させて固定することができる。なお、本実施形態では、ドレンパン３１の凹部３１ａ近傍（前面側）にボス穴３１ｂが一つしかない場合を示しているが、それ以外の位置にも底パネル１４をドレンパン３１に固定するためのボス穴３１ｂ（図示せず）が設けられ、複数のビスにより底パネル１４がドレンパン３１に固定されている。【００１８】  また、リブ３１ｃの長さＬ１を底パネル１４の幅Ｌ０（図１参照）の約２０％の長さにすることにより、リブ３１ｃをドレンパン３１の幅方向全体に設ける場合に比して、底パネル１４の曲げ部１４ｂをリブ３１ｃと上記面３１ｄとの間に抜き差しする作業が容易となる。なお、このリブ３１ｃは一つ設ける場合に限らず、複数設けても良い、但し、リブ３１ｃ全体の長さが底パネル１４の幅Ｌ０の５０％を超えると抜き差しがし難くなるため、５０％以下が好ましく、また、リブ３１ｃ全体の長さが底パネル１４の幅Ｌ０の１０％以下となると、抜き差しは容易であるが、底パネル１４の保持力が弱過ぎて底パネル１４とドレンパン３１の前面との間に隙間が生じやすくなるため、リブ３１ｃ全体の長さは少なくとも底パネル１４の幅Ｌ０の１０％以上、５０％以下が好ましい。なお、本実施形態のように、リブ３１ｃ全体の長さを底パネル１４の幅Ｌ０の約２０％にした場合が、抜き差しの容易と、保持力の高さとのバランスが最も好ましい。【００１９】  図６は、ドレンパン３１のリブ３１ｃをその周辺部と共に示す図である。この図に示すように、リブ３１ｃは、底パネル１４の曲げ部１４ｂを挟持する部分が櫛形に形成される。このように、リブ３１ｃの挟持する部分を櫛形にすることによって、このリブ３１ｃと上記面３１ｄとの間に隙間を形成するための金型部品に厚い部分を設けることが��き、金型部品に一様に薄い部分ができてしまうのを避けることができる。この結果、金型部品の耐久性を高く維持することができる。但し、櫛形に限定する必要は必ずしも無く、金型部品の耐久性を維持できる等の場合は平面にしてもよい。【００２０】  以上説明したように、本実施形態によれば、底パネル１４におけるドレンパン３１の前面を覆う部分１４ａに曲げ部１４ｂを設けると共に、ドレンパン３１にこの曲げ部１４ｂが入る凹部３１ａを設け、この凹部３１ａに、底パネル１４の曲げ部１４ｂを挟持するリブ３１ｃを設けることにより、底パネル１４の曲げ部１４ｂをドレンパン３１に密着させて固定することができる。これにより、底パネル１４の曲げ部１４ｂに駒部材を取り付ける従来のものに比して、部品点数を削減でき、組み立てや製造に要するコストの低減が容易となる。【００２１】  さらに、このリブ３１ｃをドレンパン３１のボス穴３１ｂに相当する位置に設けることにより、底パネル１４をドレンパン３１の下面及び前面により効率よく密着させた状態で固定することができる。また、このリブ３１ｃ全体の長さを、少なくとも底パネル１４の幅Ｌ０の１０％以上、５０％以下、より好ましくは約２０％の長さにすることで、底パネル１４をドレンパン３１に隙間無く固定しつつ、底パネル１４をドレンパン３１に容易に固定及び脱着することができる。さらにまた、リブ３１ｃにおいて、底パネル１４の曲げ部１４ｂを挟持する部分を櫛形にすることにより、このリブ３１ｃを金型成型で製作する際の金型製品の耐久性を高く維持することができる。【００２２】  上述した実施形態は、あくまでも本発明の一態様を示すものであり、本発明の範囲内で任意に変形が可能である。例えば、上述した実施形態では、ドレンパン３１の凹部３１ａ近傍（前面側）に押さえ部（ビス等により底パネル１４がドレンパン３１側に押さえられる部分（＝ボス穴３１ｂの位置））が一つしかない場合について説明したが、図７に示すように、ドレンパン３１の凹部３１ａ近傍に押さえ部が複数存在した場合は、各押さえ部にリブ３１ｃを配置することが好ましい。一般に、天井吊型空気調和装置１は、高出力になるほど熱交換器が大型化するためにその幅が長くなり、押さえ部を増やす傾向にあるため、このように各押さえ部にリブ３１ｃを設けることで、幅広の天井吊型空気調和装置１であっても底パネル１４をドレンパン３１の下面及び前面に密着させて固定することが可能となる。
【図面の簡単な説明】
【００２３】
【図１】本実施形態にかかる天井吊型空気調和装置の外観構成を示す斜視図である。
【図２】空気調和機本体の内部構造を示す断面図である。
【図３】空気調和機本体の内部構造を示す平面図である。
【図４】空気調和機本体の吸込口の周辺構造を示す断面図である。
【図５】ドレンパンの斜視図である。
【図６】ドレンパンのリブをその周辺部と共に示す図である。
【図７】変形例を説明するための図である。
【符号の説明】
【００２４】１  天井吊型空気調和装置
１ａ  空気調和機本体
１１  電装箱
１３  送風機
１４  底パネル
１４ｂ  曲げ部
１５  熱交換器
３１  ドレンパン
３１ａ  凹部
３１ｂ  ボス穴
３１ｃ  リブ
３７  吸込グリル
４５  サイドカバー
【図１】
2005164212.tif 000003
【図２】
2005164212.tif 000004
【図３】
2005164212.tif 000005
【図４】
2005164212.tif 000006
【図５】
2005164212.tif 000007
【図６】
2005164212.tif 000008
【図７】
2005164212.tif 000009